(57)【要約】【課題】ユーザの通信に影響を与えることなく、ネットワークシステムの消費電力をより効率的に低減することができる監視サーバ、電力制御方法および電力制御プログラムを提供する。【解決手段】ＩＰネットワーク上で電話サービスを利用する通信端末の呼制御を行うＳＩＰサーバ２０１から呼情報を取得し、取得した呼情報をもとにＳＩＰサーバ２０１における呼量を監視する監視手段１０１と、呼量の監視結果に応じて、ＳＩＰサーバ２０１とＳＩＰサーバ２０１の配下の通信端末２０３との通信経路に設置された中継機器２０２に、中継機器２０２の処理能力を変更するための設定変更コマンドを送信する実行手段１０２とを備える。【選択図】図３
2013183348.tif 000002
【特許請求の範囲】
【請求項１】
ＩＰネットワーク上で電話サービスを利用する通信端末の呼制御を行うＳＩＰサーバから呼情報を取得し、取得した前記呼情報をもとに前記ＳＩＰサーバにおける呼量を監視する監視手段と、
前記呼量の監視結果に応じて、前記ＳＩＰサーバと前記ＳＩＰサーバの配下の通信端末との通信経路に設置された中継機器に、前記中継機器の処理能力を変更するための設定変更コマンドを送信する実行手段とを備えた
ことを特徴とする監視サーバ。
【請求項２】
実行手段は、
監視結果が示す呼量が予め決められた閾値を下回ったと判断した場合は、ＳＩＰサーバと前記ＳＩＰサーバの配下の通信端末との通信経路に設置された中継機器に、前記中継機器の処理能力を下げるための設定変更コマンドを送信し、
前記監視結果が示す呼量が予め決められた閾値を超えたと判断した場合は、前記中継機器に、前記中継機器の処理能力を上げるための設定変更コマンドを送信する
請求項１に記載の監視サーバ。
【請求項３】
実行手段は、
監視結果が示す呼量が予め決められた閾値を下回ったと判断した場合は、ＳＩＰサーバと前記ＳＩＰサーバの配下の通信端末との通信経路に設置されたルータおよびスイッチに、パケットの処理能力を下げるための設定変更コマンドを送信し、
前記監視結果が示す呼量が予め決められた閾値を超えたと判断した場合には、前記ルータおよび前記スイッチに、パケットの処理能力を上げるための設定変更コマンドを送信する
請求項１または請求項２に記載の監視サーバ。
【請求項４】
ＩＰネットワーク上で電話サービスを利用する通信端末の呼制御を行うＳＩＰサーバから呼情報を取得し、取得した前記呼情報をもとに前記ＳＩＰサーバにおける呼量を監視し、
前記呼量の監視結果に応じて、前記ＳＩＰサーバと前記ＳＩＰサーバの配下の通信端末との通信経路に設置された中継機器に、前記中継機器の処理能力を変更するための設定変更コマンドを送信する
ことを特徴とする電力制御方法。
【請求項５】
コンピュータに、
ＩＰネットワーク上で電話サービスを利用する通信端末の呼制御を行うＳＩＰサーバから呼情報を取得し、取得した前記呼情報をもとに前記ＳＩＰサーバにおける呼量を監視する処理と、
前記呼量の監視結果に応じて、前記ＳＩＰサーバと前記ＳＩＰサーバの配下の通信端末との通信経路に設置された中継機器に、前記中継機器の処理能力を変更するための設定変更コマンドを送信する処理とを実行させる
ための電力制御プログラム。
【発明の詳細な説明】
【技術分野】
【０００１】
本発明は、ＶｏＩＰシステムにおける監視サーバ、監視サーバにおける電力制御方法および電力制御プログラムに関する。
【背景技術】
【０００２】
ＩＰネットワーク上で電話サービスを提供するＶｏＩＰ（Ｖｏｉｃｅ  ｏｖｅｒ  Ｉｎｔｅｒｎｅｔ  Ｐｒｏｔｏｃｏｌ）システムでは、常に、一定の電力がルータなどのネットワーク機器に供給される。そのため、システムの使用状況にかかわらず、一定の電力がネットワーク機器に供給されるので、システム全体として無駄な電力が消費される場合がある。
【０００３】
システム全体の消費電力を低減させるために、省電力機能を備えたネットワーク機器を使用してネットワークシステムを構築する方法がある。省電力機能は、例えば、外部の機器からの要求に応じて動作モードを切り替える機能である。省電力機能を備えたＩＰ電話サーバを使用して、システム全体の省電力化を図る通信システムがある（例えば、特許文献１参照。）。
【０００４】
特許文献１に記載されているシステムは、管理サーバが、ＩＰ電話サーバの使用状況に応じて、ＩＰ電話サーバを省電力モードに切り替えることによって、システム全体の省電力化を図る。具体的には、管理サーバが、ＩＰ電話サーバの呼量を監視し、呼量が一定以下になったＩＰ電話サーバを省電力モードに切り替える。
【先行技術文献】
【特許文献】
【０００５】
【特許文献１】特開２０１１−２３４３０９号公報
【発明の概要】
【発明が解決しようとする課題】
【０００６】
ネットワークシステムでは、一般的に、ＩＰ電話サーバの設置台数よりもその配下のルータなどの設置台数の方が多い。そのため、より効率的にシステム全体の省電力を図るためには、ルータなどの消費電力を低減させることが必要である。しかし、特許文献１に記載されているシステムは、ＩＰ電話サーバの配下のルータなどの消費電力を低減させることは想定されていない。
【０００７】
また、特許文献１に記載されているシステムでは、管理サーバがＩＰ電話サーバを省電力モードにした際に、そのＩＰ電話サーバに接続されている端末を他のＩＰ電話サーバに再接続させる必要がある。そのため、ユーザの通信に影響を与える可能性がある。
【０００８】
そこで、本発明は、ユーザの通信に影響を与えることなく、ネットワークシステムの消費電力をより効率的に低減することができる監視サーバ、電力制御方法および電力制御プログラムを提供することを目的とする。
【課題を解決するための手段】
【０００９】
本発明による監視サーバは、ＩＰネットワーク上で電話サービスを利用する通信端末の呼制御を行うＳＩＰサーバから呼情報を取得し、取得した呼情報をもとにＳＩＰサーバにおける呼量を監視する監視手段と、呼量の監視結果に応じて、ＳＩＰサーバとＳＩＰサーバの配下の通信端末との通信経路に設置された中継機器に、中継機器の処理能力を変更するための設定変更コマンドを送信する実行手段とを備えたことを特徴とする。
【００１０】
本発明による電力制御方法は、ＩＰネットワーク上で電話サービスを利用する通信端末の呼制御を行うＳＩＰサーバから呼情報を取得し、取得した呼情報をもとにＳＩＰサーバにおける呼量を監視し、呼量の監視結果に応じて、ＳＩＰサーバとＳＩＰサーバの配下の通信端末との通信経路に設置された中継機器に、中継機器の処理能力を変更するための設定変更コマンドを送信することを特徴とする。
【００１１】
本発明による電力制御プログラムは、コンピュータに、ＩＰネットワーク上で電話サービスを利用する通信端末の呼制御を行うＳＩＰサーバから呼情報を取得し、取得した呼情報をもとにＳＩＰサーバにおける呼量を監視する処理と、呼量の監視結果に応じて、ＳＩＰサーバとＳＩＰサーバの配下の通信端末との通信経路に設置された中継機器に、中継機器の処理能力を変更するための設定変更コマンドを送信する処理とを実行させることを特徴とする。
【発明の効果】
【００１２】
本発明によれば、ユーザの通信に影響を与えることなく、ネットワークシステムの消費電力をより効率的に低減することができる。
【図面の簡単な説明】
【００１３】
【図１】本発明による監視サーバを含むネットワークシステムの構成を示すブロック図である。
【図２】監視サーバの動作を示すフローチャートである。
【図３】本発明による監視サーバの主要部を示すブロック図である。
【発明を実施するための形態】
【００１４】
実施形態１．
以下、本発明の第１の実施形態を図面を参照して説明する。
【００１５】
図１は、本発明による監視サーバを含むネットワークシステムの構成を示すブロック図である。
【００１６】
図１に示すネットワークシステム（ＶｏＩＰシステム）は、本発明による監視サーバ１と、ＳＩＰサーバ２，５と、ルータ３，６と、スイッチ４，７と、通信端末１１〜１４とを含む。
【００１７】
監視サーバ１と、ＳＩＰサーバ２，５と、ルータ３，６と、スイッチ４，７と、通信端末１１〜１４とは、有線または無線で通信可能に接続される。本実施形態では、各機器はイーサネット（登録商標）ケーブルを介して接続される。また、各機器は、イーサネットケーブルを介して相互にパケット通信可能である。
【００１８】
通信端末１１，１２は、スイッチ４、ルータ３を介してＳＩＰサーバ２に接続される。また、通信端末１３，１４は、スイッチ７、ルータ６を介してＳＩＰサーバ５と接続される。
【００１９】
なお、図１に示すネットワークシステムの構成は一例であり、他の構成であってもよい。例えば、監視サーバ１に接続されるＳＩＰサーバはいくつあってもよい。また、スイッチ４，７に接続される通信端末はいくつあってもよい。また、ネットワークシステムに、他のネットワーク機器が含まれていてもよい。
【００２０】
監視サーバ１は、ネットワークシステム内の各機器の状態を監視するサーバ装置である。
【００２１】
監視サーバ１は、監視部２１と、実行部２２とを備える。
【００２２】
監視部２１は、監視サーバ１に接続された各機器の状態を監視する。具体的には、監視部２１は、機器の状態を取得するための通信コマンド（以下、状態取得コマンドという。）を、コマンドラインインタフェース機能を備えた機器に送信して、機器の状態を示す情報を取得する。本実施形態では、監視サーバ１は、ＳＩＰサーバ２、５に状態取得コマンドを送信して、ＳＩＰサーバ２、５における呼量を示す情報を取得する。
【００２３】
実行部２２は、監視サーバ１に接続された各機器を制御する。具体的には、実行部２２は、機器の設定を変更するための通信コマンド（以下、設定変更コマンド）を、コマンドラインインタフェース機能を備えた機器に送信して、機器を制御する。本実施形態では、監視サーバ１は、ルータ３，６に設定変更コマンドを送信して、ルータ３，６を制御する。
【００２４】
なお、監視部２１および実行部２２は、監視サーバ１が備えるがＣＰＵなどによって実現される。
【００２５】
ＳＩＰサーバ２，５は、呼制御を行うサーバ装置である。例えば、ＳＩＰサーバ２，５は、ＳＩＰ（Ｓｅｓｓｉｏｎ  Ｉｎｉｔｉａｔｉｏｎ  Ｐｒｏｔｏｃｏｌ）を利用して、通信端末の電話番号とＩＰアドレスとを対応付けて管理したり、呼の接続要求を受け付けた場合に、通話先の相手（通信端末）を呼び出して、通話元と通話先の通信端末の接続を確立させたりする。
【００２６】
ルータ３，６は、ＩＰパケットのネットワーク間の中継を行う機能、ｔｅｌｎｅｔ機能、コマンドラインインタフェース機能などを備える中継機器である。ルータ３，６は、コマンドラインインタフェース機能により、他の機器と通信コマンドの送受信を行う。
【００２７】
ルータ３，６は、本実施形態では、他の機器から入力した通信コマンドにもとづいて、自装置のパケットの処理能力を変更する省電力機能を備える。例えば、ルータ３，６は、パケットの処理能力を下げる指示を含むコマンドを受信した場合には、自装置のクロック周波数や電源電圧を低下させて、消費電力を低減する。
【００２８】
スイッチ４，７は、ＭＡＣアドレスやＩＰアドレスなどの情報をもとに、通信データの経路制御、つまり、スイッチング動作を行う中継機器である。
【００２９】
通信端末１１〜１４は、例えば、ＩＰ電話機である。通信端末１１〜１４は、ＳＩＰ、ＲＴＰ（Ｒｅａｌ−ｔｉｍｅ  Ｔｒａｎｓｐｏｒｔ  Ｐｒｏｔｏｃｏｌ）などのプロトコルを利用し、ＳＩＰサーバと連携してＩＰネットワーク上で電話サービスを利用するための機能を備える。
【００３０】
ＳＩＰサーバ２，５の呼制御、ルータ３，６およびスイッチ４，７の中継機能、通信端末１１〜１４の電話機能、各機器が備えるイーサネットケーブルによる接続機能については広く知られているため、詳細な説明は省略する。
【００３１】
次に、本実施形態の動作を説明する。
【００３２】
まず、通信端末１１が通信端末１４との通話を開始するときの各機器の動作を説明する。
【００３３】
ユーザは、通信端末１１が備える操作部（図示せず）に対して、通話先である通信端末１４の電話番号の入力操作を行う。
【００３４】
通信端末１１は、操作部に電話番号が入力されると、ＳＩＰを利用して、入力された電話番号にもとづいて、スイッチ４、ルータ３を介し、ＳＩＰサーバ２に対して呼の接続要求を行う。
【００３５】
ＳＩＰサーバ２は、呼の接続要求を受け付けると、その接続要求を中継する。具体的には、ルータ３、ルータ６を介して、対向するＳＩＰサーバ５に呼の接続要求を転送する。
【００３６】
ＳＩＰサーバ５は、ＳＩＰサーバ２から呼の接続要求を受け付けると、その接続要求を中継する。具体的には、ルータ６、スイッチ７を介して、配下の通信端末１４に呼の接続要求を転送する。
【００３７】
通信端末１４は、呼の接続要求を受け付けると、「接続ＯＫ」の応答メッセージを通信端末１１に送信する。このとき、応答メッセージは、逆の経路、つまり、スイッチ７→ルータ６→ＳＩＰサーバ５→ルータ６→ルータ３→ＳＩＰサーバ２→ルータ３→スイッチ４という経路で、転送される。
【００３８】
通信端末１１が「接続ＯＫ」の応答メッセージを受信すると、呼が確立される。これにより、通話端末１１は、通話端末１４と通話可能となる。通話端末１１は、スイッチ４、ルータ３、ルータ６、ルータ７を介して、通話端末１４と音声データを送受信することにより、通話を行う。
【００３９】
ＳＩＰサーバ２，５は、呼が確立されると、確立された呼の情報（以下、呼情報という。）を保持する。呼情報は、例えば、現在通話中である端末、つまり、確立された呼の通話元および通話先の通信端末を特定するための情報である。
【００４０】
次に、図２を参照して、監視サーバの動作を説明する。
【００４１】
図２は、監視サーバの動作を示すフローチャートである。
【００４２】
監視サーバ１の監視部２１は、ＳＩＰサーバ２，５を監視する（ステップＳ１）。具体的には、監視部２１は、呼情報を取得するための状態取得コマンドをＳＩＰサーバ２，５に送信し、ＳＩＰサーバ２，５から呼情報を取得する。
【００４３】
監視サーバ１の監視部２１は、取得した呼情報をもとに、ＳＩＰサーバ２，５において確立された呼の数（呼量）、つまり、通話の使用状況を判定する（ステップＳ２、Ｓ４）。ステップＳ１において、監視部２１は、ＳＩＰサーバ２，５における呼量が予め定められた閾値を超えたか、または、下回ったかを判定する。なお、閾値は、監視サーバ１が備える記憶部（図示せず）に格納される。
【００４４】
監視部２１がＳＩＰサーバにおける呼量が閾値を下回ったと判断した場合は（ステップＳ２のＹ）、監視サーバ１の実行部２２は、呼量が閾値を下回ったＳＩＰサーバの配下のルータに対して、処理能力を下げるように指示する（ステップＳ３）。例えば、実行部２２は、ルータ３またはルータ６に対して、パケットの処理能力を下げる指示を含む設定変更コマンドを送信する。
【００４５】
また、監視部２１がＳＩＰサーバにおける呼量が閾値を超えたと判断した場合は（ステップＳ４のＹ）、実行部２２は、呼量が閾値を超えたＳＩＰサーバの配下のルータに対して、処理能力を上げるように、つまり、処理能力を通常の状態にするように指示する（ステップＳ５）。例えば、実行部２２は、ルータ３またはルータ６に対して、パケットの処理能力を上げる指示を含む設定変更コマンドを送信する。
【００４６】
監視サーバ１は、ステップＳ１〜Ｓ５の処理を繰り返し実行する。
【００４７】
なお、本実施形態では、１つの閾値で呼量を判定しているが、閾値は複数あってもよい。例えば、監視部２１は、ステップＳ２、Ｓ４における判定を、別々の閾値で行うようにしてもよい。
【００４８】
また、本実施形態では、コマンドラインインタフェース機能を利用して、監視サーバ１が、ＳＩＰサーバ２，５やルータ３，６と通信を行う場合について説明したが、監視サーバ１は、その他のインタフェースを利用して他の機器と通信を行ってもよい。
【００４９】
以上に説明したように、本発明では、監視サーバ１が、通話の使用状況を監視して、ＳＩＰサーバの配下のルータの処理能力を制御している。そのため、ネットワークシステムの消費電力を、通話の使用状況に合わせてより効率的に低減することができる。
【００５０】
また、監視サーバ１が、ルータの処理を停止させずに、ルータの処理能力を低下させることによって、ルータの消費電力を低減している。従って、通信端末の通話および通信に影響を与えることなく、ネットワークシステムの消費電力を低減することができる。
【００５１】
また、監視サーバ１が、通話の使用状況を監視してルータの処理能力を制御するので、ユーザ操作を必要としない。
【００５２】
なお、本実施形態では、ルータ３，６が省電力機能を備える場合について説明したが、ルータ３，６以外の機器、例えば、スイッチ４，７がルータ３，６と同様の省電力機能を備えている場合には、監視サーバ１は、スイッチ４，７の処理能力を制御して、スイッチ４，７の消費電力を低減するようにしてもよい。そのような構成によれば、より多くの消費電力を低減することができる。
【００５３】
図３は、本発明による監視サーバの主要部を示すブロック図である。図３に示すように、監視サーバ１００（図１に示す監視サーバ１に相当。）は、ＩＰネットワーク上で電話サービスを利用する通信端末の呼制御を行うＳＩＰサーバ２０１（図１に示すＳＩＰサーバ２またはＳＩＰサーバ５に相当。）から呼情報を取得し、取得した呼情報をもとにＳＩＰサーバ２０１における呼量を監視する監視手段１０１（図１に示す監視サーバ１における監視部２１に相当。）と、呼量の監視結果に応じて、ＳＩＰサーバ２０１とＳＩＰサーバ２０１の配下の通信端末２０３（図１に示す通信端末１１，１２、または、通信端末１３，１４に相当。）との通信経路に設置された中継機器２０２（図１に示すルータ３、スイッチ４、または、ルータ６、スイッチ７に相当。）に、中継機器２０２の処理能力を変更するための設定変更コマンドを送信する実行手段１０２（図１に示す監視サーバ１における実行部２２に相当。）とを備える。
【００５４】
上記の実施形態には、以下のような監視サーバも開示されている。
【００５５】
（１）実行手段１０２は、監視結果が示す呼量が予め決められた閾値を下回ったと判断した場合は、ＳＩＰサーバ２０１とＳＩＰサーバ２０１の配下の通信端末２０３との通信経路に設置された中継機器２０２に、中継機器２０２の処理能力を下げるための設定変更コマンドを送信し、監視結果が示す呼量が予め決められた閾値を超えたと判断した場合は、中継機器２０２に、中継機器２０２の処理能力を上げるための設定変更コマンドを送信する監視サーバ。
【００５６】
そのような構成によれば、ＳＩＰサーバにおける呼量の増減、つまり、通話の使用状況に合わせて、ネットワークシステムの消費電力を制御することができる。従って、ユーザの通話および通信に影響を与えることがない。
【００５７】
（２）実行手段１０２は、監視結果が示す呼量が予め決められた閾値を下回ったと判断した場合は、ＳＩＰサーバ２０１とＳＩＰサーバ２０１の配下の通信端末２０３との通信経路に設置されたルータ（図１に示すルータ３またはルータ６に相当。）およびスイッチ（図１に示すスイッチ４またはスイッチ７に相当。）に、パケットの処理能力を下げるための設定変更コマンドを送信し、監視結果が示す呼量が予め決められた閾値を超えたと判断した場合には、ルータおよびスイッチに、パケットの処理能力を上げるための設定変更コマンドを送信する監視サーバ。
【００５８】
そのような構成によれば、通話の使用状況に合わせて、ルータおよびスイッチのパケットの処理能力を制御することができる。従って、ユーザの通話および通信に影響を与えることなく、ルータおよびスイッチの消費電力を低減することができる。
【符号の説明】
【００５９】
１、１００  監視サーバ
２、５、２０１  ＳＩＰサーバ
３、６  ルータ
４、７  スイッチ
１１〜１４、２０３  通信端末
２１  監視部
２２  実行部
１０１  監視手段
１０２  実行手段
２０２  中継機器
【図１】
2013183348.tif 000003
【図２】
2013183348.tif 000004
【図３】
2013183348.tif 000005